(57)【要約】      （修正有）【課題】構造が簡単で、フレームを解体でき、運搬又は保管時の占有スペースが縮小でき、コストが低減する解体及び組立が容易な通気性収納棚を提供する。【解決手段】上サイドフレーム２の底部の左右両側又は左右両側面に少なくとも１つの第１接続体８がそれぞれ設けられ、左右サイドフレーム４、５の上部又は内側面に少なくとも１つの第１接続孔９がそれぞれ開設され、上サイドフレームの後部底面に少なくとも１つの第２接続体が設けられ、後サイドフレーム７の上部に少なくとも１つの第２接続孔１１が開設され、下サイドフレーム３の上部の左右両側又は左右両側面に少なくとも１つの第３接続体１２がそれぞれ設けられ、左右サイドフレームの底部又は内側面に少なくとも１つの第３接続孔１３がそれぞれ開設され、下サイドフレームの上部後方に少なくとも１つの第４接続体１４が設けられ、後サイドフレームの底部に少なくとも１つの第４接続孔１５が開設されている。【選択図】図２
0003220484.tif 000002
【実用新案登録請求の範囲】
【請求項１】
フレーム（１）を含み、前記フレーム（１）が、上サイドフレーム（２）、下サイドフレーム（３）、左サイドフレーム（４）、右サイドフレーム（５）及び後サイドフレーム（７）を含み、前記左サイドフレーム（４）が後サイドフレーム（７）の一方の側に装設され、前記右サイドフレーム（５）が後サイドフレーム（７）の他方の側に装設される解体及び組立が容易な通気性収納棚において、
前記上サイドフレーム（２）は左サイドフレーム（４）と右サイドフレーム（５）の上方又は内部に装設され、前記下サイドフレーム（３）は左サイドフレーム（４）と右サイドフレーム（５）の下方又は内部に装設され、前記上サイドフレーム（２）における底部の左右両側又は左右両側面には少なくとも１つの第１接続体（８）がそれぞれ設けられており、前記左サイドフレーム（４）と右サイドフレーム（５）の上部又は内側面には、第１接続体（８）に対応する少なくとも１つの第１接続孔（９）がそれぞれ開設されており、前記第１接続体（８）は対応する第１接続孔（９）にそれぞれ挿接及び固定され、前記上サイドフレーム（２）の後部底面には少なくとも１つの第２接続体（１０）が設けられており、前記後サイドフレーム（７）の上部には第２接続体（１０）に対応する少なくとも１つの第２接続孔（１１）が開設されており、前記第２接続体（１０）は第２接続孔（１１）に挿接及び固定され、前記下サイドフレーム（３）における上部の左右両側又は左右両側面には少なくとも１つの第３接続体（１２）がそれぞれ設けられており、前記左サイドフレーム（４）と右サイドフレーム（５）の底部又は内側面には第３接続体（１２）に対応する少なくとも１つの第３接続孔（１３）がそれぞれ開設されており、前記第３接続体（１２）は第３接続孔（１３）に挿接及び固定され、前記下サイドフレーム（３）の上部後方には少なくとも１つの第４接続体（１４）が設けられており、前記後サイドフレーム（７）の底部には第４接続体（１４）に対応する少なくとも１つの第４接続孔（１５）が開設されており、前記第４接続体（１４）は第４接続孔（１５）に挿接及び固定され、前記右サイドフレーム（５）の後方内側面には少なくとも１つの第５接続体（３１）が設けられており、前記後サイドフレーム（７）の右側面には第５接続体（３１）に対応する少なくとも１つの第５接続孔（３２）が開設されており、前記左サイドフレーム（４）の後方内側面には少なくとも１つの第６接続体（３３）が設けられており、前記後サイドフレーム（７）の左側面には第６接続体（３３）に対応する少なくとも１つの第６接続孔（３４）が開設されており、前記第５接続体（３１）は第５接続孔（３２）に挿接及び固定され、第６接続体（３３）は第６接続孔（３４）に挿接及び固定されることを特徴とする収納棚。
【請求項２】
前記第１接続孔（９）、第２接続孔（１１）、第３接続孔（１３）、第４接続孔（１５）、第５接続孔（３２）及び第６接続孔（３４）内にはそれぞれ接続部材（２１）が装設されており、前記接続部材（２１）の内壁が内側に突出することで凸環（２２）が設けられており、前記第１接続体（８）、第２接続体（１０）、第３接続体（１２）、第４接続体（１４）、第５接続体（３１）及び第６接続体（３３）が対応する接続部材（２１）にそれぞれ挿接されて、接続部材（２１）の凸環（２２）に係接することを特徴とする請求項１に記載の解体及び組立が容易な通気性収納棚。
【請求項３】
更に、前サイドフレーム（６）を含み、前記前サイドフレーム（６）は左サイドフレーム（４）又は右サイドフレーム（５）にヒンジ接続され、前記上サイドフレーム（２）、下サイドフレーム（３）、左サイドフレーム（４）、右サイドフレーム（５）、前サイドフレーム（６）及び後サイドフレーム（７）はサイドフレーム本体（１６）と菱形網（１７）を含むことを特徴とする請求項１に記載の解体及び組立が容易な通気性収納棚。
【請求項４】
前記菱形網（１７）の全周の辺縁がそれぞれ溶接によってサイドフレーム本体（１６）の全周に接続及び固定されていることを特徴とする請求項３に記載の解体及び組立が容易な通気性収納棚。
【請求項５】
前記菱形網（１７）の全周の辺縁がサイドフレーム本体（１６）内部の全周に挿接され、前記サイドフレーム本体（１６）の内部の全周には菱形網（１７）を挿接するための挿入溝（１８）が開設されており、前記菱形網（１７）の全周の辺縁がサイドフレーム本体（１６）内部の全周における挿入溝（１８）内に挿接されるとともに、サイドフレーム本体（１６）がプレスされることで、接続及び固定がなされることを特徴とする請求項３に記載の解体及び組立が容易な通気性収納棚。
【請求項６】
前記挿入溝（１８）部分には、サイドフレーム本体（１６）と一体的に成型されるとともに、サイドフレーム本体（１６）の内側又は外側に向かって屈曲する屈曲部（１９）が設けられており、前記屈曲部（１９）は菱形網（１７）の全周の辺縁と接触することを特徴とする請求項５に記載の解体及び組立が容易な通気性収納棚。
【請求項７】
前記挿入溝（１８）部分には、サイドフレーム本体（１６）と一体的に成型されるとともに、サイドフレーム本体（１６）の内側又は外側に向かって屈曲し、且つサイドフレーム本体（１６）の内壁又は外壁に接触する屈曲部（１９）が設けられており、前記屈曲部（１９）は菱形網（１７）の全周の辺縁と接触することを特徴とする請求項５に記載の解体及び組立が容易な通気性収納棚。
【請求項８】
前記屈曲部（１９）には複数の突起（２０）が等間隔で設けられていることを特徴とする請求項７に記載の解体及び組立が容易な通気性収納棚。
【請求項９】
前記フレーム（１）の内部には少なくとも１つの載置プレート（２３）が設けられており、前記載置プレート（２３）は左サイドフレーム（４）と右サイドフレーム（５）の間に装設され、前記左サイドフレーム（４）と右サイドフレーム（５）の内部前方には少なくとも１つの第１係設突起（２４）が設けられており、前記左サイドフレーム（４）と右サイドフレーム（５）の内部後側面には、第１係設突起（２４）と連携するよう同一水平線上に設置される少なくとも１つの第２係設突起（２５）が設けられており、前記載置プレート（２３）の前方の底部左右両端には第１係設突起（２４）に対応する第１係設凹溝（２６）がそれぞれ設けられており、前記載置プレート（２３）の後方の底部左右両端には第２係設突起（２５）に対応する第２係設凹溝（２７）がそれぞれ設けられており、前記第１係設突起（２４）が第１係設凹溝（２６）に組み合わされて係接し、第２係設突起（２５）が第２係設凹溝（２７）に組み合わされて係接することで、載置プレート（２３）が左サイドフレーム（４）と右サイドフレーム（５）の間に係接及び固定されることを特徴とする請求項５に記載の解体及び組立が容易な通気性収納棚。
【請求項１０】
前記フレーム（１）の底部の四隅にはフレームのぐらつきを防止するための支持脚（２８）がそれぞれ装設されており、前記支持脚（２８）は固定ネジによってフレーム（１）の底部に装設され、前記支持脚（２８）の上部には固定ネジを挿通可能な第１ネジ孔（２９）と第２ネジ孔（３０）が開設されており、前記固定ネジがそれぞれ対応する第１ネジ孔（２９）に挿通されて下サイドフレーム（３）の底部の一角に固定及び締結されるとともに、前記固定ネジがそれぞれ対応する第２ネジ孔（３０）に挿通されて左サイドフレーム（４）又は右サイドフレーム（５）の底部の前端又は後端に固定及び締結されることで、支持脚（２８）がフレーム（１）の底部に固定及び装設されることを特徴とする請求項５に記載の解体及び組立が容易な通気性収納棚。
【考案の詳細な説明】
【技術分野】
【０００１】
本考案は収納棚の技術分野に関し、より具体的には、解体及び組立が容易な通気性収納棚に関する。
【背景技術】
【０００２】
生活面や仕事での収納、日常用品の整理には収納棚を用いる必要がある。しかし、従来の収納棚は大部分が木製であり、大量の木材を消費することから環境に対し大変悪影響である。また、重量も非常に大きい。且つ、従来の収納棚は解体不可能なため、運搬時や不要となった場合に大きくスペースを占有してしまう。そのため、運搬コストが嵩むほか、運搬時に変形や損傷が生じやすい。
【考案の概要】
【考案が解決しようとする課題】
【０００３】
本考案は、従来技術における上記の瑕疵を解消し、木材を節約することで環境を守り、且つ、解体可能なフレーム接続を実現することで、運搬時や不要となった場合にフレームを解体して運搬又は保管できるようにし、運搬又は保管時の占有スペースを効果的に縮小することで、運搬コストを大幅に削減し、且つ、フレームを組み立てやすく、操作もしやすい解体及び組立が容易な通気性収納棚を提供することを目的とする。
【課題を解決するための手段】
【０００４】
上記の目的を実現するために、本考案は、解体及び組立が容易な通気性収納棚であって、フレームを含み、前記フレームが、上サイドフレーム、下サイドフレーム、左サイドフレーム、右サイドフレーム及び後サイドフレームを含み、前記左サイドフレームが後サイドフレームの一方の側に装設され、前記右サイドフレームが後サイドフレームの他方の側に装設され、前記上サイドフレームは左サイドフレームと右サイドフレームの上方又は内部に装設され、前記下サイドフレームは左サイドフレームと右サイドフレームの下方又は内部に装設され、前記上サイドフレームにおける底部の左右両側又は左右両側面には少なくとも１つの第１接続体がそれぞれ設けられており、前記左サイドフレームと右サイドフレームの上部又は内側面には、第１接続体に対応する少なくとも１つの第１接続孔がそれぞれ開設されており、前記第１接続体は対応する第１接続孔にそれぞれ挿接及び固定され、前記上サイドフレームの後部底面には少なくとも１つの第２接続体が設けられており、前記後サイドフレームの上部には第２接続体に対応する少なくとも１つの第２接続孔が開設されており、前記第２接続体は第２接続孔に挿接及び固定され、前記下サイドフレームにおける上部の左右両側又は左右両側面には少なくとも１つの第３接続体がそれぞれ設けられており、前記左サイドフレームと右サイドフレームの底部又は内側面には第３接続体に対応する少なくとも１つの第３接続孔がそれぞれ開設されており、前記第３接続体は第３接続孔に挿接及び固定され、前記下サイドフレームの上部後方には少なくとも１つの第４接続体が設けられており、前記後サイドフレームの底部には第４接続体に対応する少なくとも１つの第４接続孔が開設されており、前記第４接続体は第４接続孔に挿接及び固定され、前記右サイドフレームの後方内側面には少なくとも１つの第５接続体が設けられており、前記後サイドフレームの右側面には第５接続体に対応する少なくとも１つの第５接続孔が開設されており、前記左サイドフレームの後方内側面には少なくとも１つの第６接続体が設けられており、前記後サイドフレームの左側面には第６接続体に対応する少なくとも１つの第６接続孔が開設されており、前記第５接続体は第５接続孔に挿接及び固定され、第６接続体は第６接続孔に挿接及び固定される収納棚を提供する。
【０００５】
好ましくは、前記第１接続孔、第２接続孔、第３接続孔、第４接続孔、第５接続孔及び第６接続孔内にはそれぞれ接続部材が装設されており、前記接続部材の内壁が内側に突出することで凸環が設けられており、前記第１接続体、第２接続体、第３接続体、第４接続体、第５接続体及び第６接続体が対応する接続部材にそれぞれ挿接されて、接続部材の凸環に係接する。
【０００６】
好ましくは、更に、前サイドフレームを含み、前記前サイドフレームは左サイドフレーム又は右サイドフレームにヒンジ接続され、前記上サイドフレーム、下サイドフレーム、左サイドフレーム、右サイドフレーム、前サイドフレーム及び後サイドフレームはサイドフレーム本体と菱形網を含む。
【０００７】
好ましくは、前記菱形網の全周の辺縁がそれぞれ溶接によってサイドフレーム本体の全周に接続及び固定されている。
【０００８】
好ましくは、前記菱形網の全周の辺縁がサイドフレーム本体内部の全周に挿接され、前記サイドフレーム本体の内部の全周には菱形網を挿接するための挿入溝が開設されており、前記菱形網の全周の辺縁がサイドフレーム本体内部の全周における挿入溝内に挿接されるとともに、サイドフレーム本体がプレスされることで、接続及び固定がなされる。
【０００９】
好ましくは、前記挿入溝部分には、サイドフレーム本体と一体的に成型されるとともに、サイドフレーム本体の内側又は外側に向かって屈曲する屈曲部が設けられており、前記屈曲部は菱形網の全周の辺縁と接触する。
【００１０】
好ましくは、前記挿入溝部分には、サイドフレーム本体と一体的に成型されるとともに、サイドフレーム本体の内側又は外側に向かって屈曲し、且つサイドフレーム本体の内壁又は外壁に接触する屈曲部が設けられており、前記屈曲部は菱形網の全周の辺縁と接触する。
【００１１】
好ましくは、前記屈曲部には複数の突起が等間隔で設けられている。
【００１２】
好ましくは、前記フレームの内部には少なくとも１つの載置プレートが設けられており、前記載置プレートは左サイドフレームと右サイドフレームの間に装設され、前記左サイドフレームと右サイドフレームの内部前方には少なくとも１つの第１係設突起が設けられており、前記左サイドフレームと右サイドフレームの内部後側面には、第１係設突起と連携するよう同一水平線上に設置される少なくとも１つの第２係設突起が設けられており、前記載置プレートの前方の底部左右両端には第１係設突起に対応する第１係設凹溝がそれぞれ設けられており、前記載置プレートの後方の底部左右両端には第２係設突起に対応する第２係設凹溝がそれぞれ設けられており、前記第１係設突起が第１係設凹溝に組み合わされて係接し、第２係設突起が第２係設凹溝に組み合わされて係接することで、載置プレートが左サイドフレームと右サイドフレームの間に係接及び固定される。
【００１３】
好ましくは、前記フレームの底部の四隅にはフレームのぐらつきを防止するための支持脚がそれぞれ装設されており、前記支持脚は固定ネジによってフレームの底部に装設され、前記支持脚の上部には固定ネジを挿通可能な第１ネジ孔と第２ネジ孔が開設されており、前記固定ネジがそれぞれ対応する第１ネジ孔に挿通されて下サイドフレームの底部の一角に固定及び締結されるとともに、前記固定ネジがそれぞれ対応する第２ネジ孔に挿通されて左サイドフレーム又は右サイドフレームの底部の前端又は後端に固定及び締結されることで、支持脚がフレームの底部に固定及び装設される。
【考案の効果】
【００１４】
従来技術と比較して、本考案は以下の有益な効果を有する。
【００１５】
１．本考案は構造が簡単である。また、上サイドフレームにおける底部の左右両側又は左右両側面には少なくとも１つの第１接続体がそれぞれ設けられており、左サイドフレームと右サイドフレームの上部又は内側面には、第１接続体に対応する少なくとも１つの第１接続孔がそれぞれ開設されており、第１接続体は対応する第１接続孔にそれぞれ挿接及び固定され、上サイドフレームの後部底面には少なくとも１つの第２接続体が設けられており、後サイドフレームの上部には第２接続体に対応する少なくとも１つの第２接続孔が開設されており、第２接続体は第２接続孔に挿接及び固定され、下サイドフレームにおける上部の左右両側又は左右両側面には少なくとも１つの第３接続体がそれぞれ設けられており、左サイドフレームと右サイドフレームの底部又は内側面には第３接続体に対応する少なくとも１つの第３接続孔がそれぞれ開設されており、第３接続体は第３接続孔に挿接及び固定され、下サイドフレームの上部後方には少なくとも１つの第４接続体が設けられており、後サイドフレームの底部には第４接続体に対応する少なくとも１つの第４接続孔が開設されており、第４接続体は第４接続孔に挿接及び固定され、右サイドフレームの後側面には少なくとも１つの第５接続体が設けられており、後サイドフレームの右側面には第５接続体に対応する少なくとも１つの第５接続孔が開設されており、左サイドフレームの後側面には少なくとも１つの第６接続体が設けられており、後サイドフレームの左側面には第６接続体に対応する少なくとも１つの第６接続孔が開設されており、第５接続体が第５接続孔に挿接及び固定され、第６接続体が第６接続孔に挿接及び固定されることで、左サイドフレームと右サイドフレームがそれぞれ後サイドフレームの左側と右側に挿接及び固定される。以上により、フレームの解体可能な接続を実現することで、運搬時や不要となった場合にフレームを解体して運搬又は保管できるようにしている。これにより、運搬又は保管時の占有スペースが効果的に縮小されて、運搬コストが大幅に削減される。且つ、フレームを組み立てやすく、操作もしやすくなる。
【００１６】
２．本考案における上サイドフレーム、下サイドフレーム、左サイドフレーム、右サイドフレーム、前サイドフレーム及び後サイドフレームはサイドフレーム本体と菱形網を含み、菱形網の全周の辺縁がサイドフレーム本体内部の全周に挿接される。サイドフレーム本体の内部の全周には菱形網を挿接するための挿入溝が開設されており、菱形網の全周の辺縁がサイドフレーム本体内部の全周における挿入溝内に挿接されるとともに、サイドフレーム本体がプレスされることで、接続及び固定がなされる。挿入溝部分には、サイドフレーム本体と一体的に成型されるとともに、サイドフレーム本体の内側又は外側に向かって屈曲する屈曲部が設けられており、屈曲部が菱形網の全周の辺縁と接触する。菱形網を設置することで、フレーム内部の風通しと通気性が効果的に保証されるため、フレームに保管される物品のカビや変質が防止される。また、屈曲部を設けることで、プレス時のサイドフレーム本体と菱形網との接触面積が効果的に拡大し、プレス時におけるサイドフレーム本体の剪断力で菱形網が切断されるとの事態が防止されるため、製品の生産品質が効果的に保証される。
【００１７】
３．本考案において、挿入溝部分には、サイドフレーム本体と一体的に成型されるとともに、サイドフレーム本体の内側又は外側に向かって屈曲し、且つサイドフレーム本体の内壁又は外壁に接触する屈曲部が設けられており、屈曲部が菱形網の全周の辺縁と接触する。また、屈曲部には複数の突起が等間隔で設けられている。大型のフレームを生産する際には、菱形網がサイドフレーム本体に確実に固定されるよう、突起を抵抗溶接することで菱形網とサイドフレーム本体をより堅固に接続し、菱形網の抜け落ちを回避すればよい。
【００１８】
４．フレームと菱形網に金属材料を採用しているため、木材を節約可能であり、環境が守られる。また、菱形網はパンチングと引き伸ばしによって一体成型されるため、金属材料が節約されるとともに、コスト削減となり、且つ軽量化される。
【００１９】
本考案の実施例又は従来技術の技術方案をより明確に説明すべく、以下に、実施例又は従来技術の記載に要する図面について簡単に説明する。なお、以下に記載する図面は本考案の実施例の一部にすぎず、当業者であれば、創造的労働を伴うことなくこれら図面からその他の図面を取得可能である。
【図面の簡単な説明】
【００２０】
【図１】図１は、本考案で提供する解体及び組立が容易な通気性収納棚の全体構造を示す図である。
【図２】図２は、本考案で提供する解体及び組立が容易な通気性収納棚の分解構造を示す図である。
【図３】図３は、本考案で提供する解体及び組立が容易な通気性収納棚の第１の部分構造を示す図である。
【図４】図４は、本考案で提供する解体及び組立が容易な通気性収納棚の第２の部分構造を示す図である。
【図５】図５は、本考案で提供する菱形網を未装着の解体及び組立が容易な通気性収納棚の構造を示す図である。
【図６】図６は、本考案で提供する解体及び組立が容易な通気性収納棚の第３の部分構造を示す図である。
【図７】図７は、本考案で提供する解体及び組立が容易な通気性収納棚の接続部材の断面図である。
【図８】図８は、本考案で提供する解体及び組立が容易な通気性収納棚のサイドフレーム本体の第１断面図である。
【図９】図９は、本考案で提供する解体及び組立が容易な通気性収納棚のサイドフレーム本体の第２断面図である。
【図１０】図１０は、本考案で提供する解体及び組立が容易な通気性収納棚のサイドフレーム本体の第３断面図である。
【図１１】図１１は、本考案で提供する解体及び組立が容易な通気性収納棚のサイドフレーム本体の第４断面図である。
【図１２】図１２は、本考案で提供する解体及び組立が容易な通気性収納棚の支持脚の構造を示す図である。
【図１３】図１３は、本考案で提供する解体及び組立が容易な通気性収納棚の他の構造を示す図である。
【図１４】図１４は、本考案で提供する前フレームを備えない解体及び組立が容易な通気性収納棚の構造を示す図である。
【考案を実施するための形態】
【００２１】
本考案の実施例の目的、技術方案及び利点をより明確にすべく、以下では本考案の実施例にかかる図面を組み合わせて、本考案の実施例における技術方案につき明瞭簡潔に述べる。なお、ここで記載する実施例は本考案の一部実施例にすぎず、全ての実施例でないことはいうまでもない。本考案の実施例に基づいて、当業者が創造的労働を要することなく取得するその他すべての実施例は、いずれも本考案の保護の範囲に属する。
【実施例１】
【００２２】
図１〜図１２を参照して、本考案の実施例１は、フレーム１を含む解体及び組立が容易な通気性収納棚を提供する。フレーム１は、上サイドフレーム２、下サイドフレーム３、左サイドフレーム４、右サイドフレーム５及び後サイドフレーム７を含む。左サイドフレーム４は後サイドフレーム７の一方の側に装設され、右サイドフレーム５は後サイドフレーム７の他方の側に装設され、上サイドフレーム２は左サイドフレーム４と右サイドフレーム５の上方に装設され、下サイドフレーム３は左サイドフレーム４と右サイドフレーム５の下方に装設される。上サイドフレーム２の底部の左右両側には少なくとも１つの第１接続体８がそれぞれ設けられており、左サイドフレーム４と右サイドフレーム５の上部には、第１接続体８に対応する少なくとも１つの第１接続孔９がそれぞれ開設されている。第１接続体８が対応する第１接続孔９にそれぞれ挿接及び固定されることで、左サイドフレーム４と右サイドフレーム５がそれぞれ上サイドフレーム２の左側と右側に挿接及び固定される。上サイドフレーム２の後部底面には少なくとも１つの第２接続体１０が設けられており、後サイドフレーム７の上部には第２接続体１０に対応する少なくとも１つの第２接続孔１１が開設されている。第２接続体１０が第２接続孔１１に挿接及び固定されることで、後サイドフレーム７が上サイドフレーム２の後側に挿接及び固定される。下サイドフレーム３の上部の左右両側には少なくとも１つの第３接続体１２がそれぞれ設けられており、左サイドフレーム４と右サイドフレーム５の底部には、第３接続体１２に対応する少なくとも１つの第３接続孔１３がそれぞれ開設されている。第３接続体１２が第３接続孔１３に挿接及び固定されることで、左サイドフレーム４と右サイドフレーム５がそれぞれ下サイドフレーム３の左側と右側に挿接及び固定される。下サイドフレーム３の後部上面には少なくとも１つの第４接続体１４が設けられており、後サイドフレーム７の底部には第４接続体１４に対応する少なくとも１つの第４接続孔１５が開設されている。第４接続体１４が第４接続孔１５に挿接及び固定されることで、後サイドフレーム７が下サイドフレーム３の後側に挿接及び固定される。右サイドフレーム５の後方内側面には少なくとも１つの第５接続体３１が設けられており、後サイドフレーム７の右側面には第５接続体３１に対応する少なくとも１つの第５接続孔３２が開設されている。左サイドフレーム４の後方内側面には少なくとも１つの第６接続体３３が設けられており、後サイドフレーム７の左側面には第６接続体３３に対応する少なくとも１つの第６接続孔３４が開設されている。第５接続体３１が第５接続孔３２に挿接及び固定され、第６接続体３３が第６接続孔３４に挿接及び固定されることで、左サイドフレーム４と右サイドフレーム５がそれぞれ後サイドフレーム７の左側と右側に挿接及び固定される。更に、前サイドフレーム６を含み、前記前サイドフレーム６が左サイドフレーム４又は右サイドフレーム５にヒンジ接続される。次に、図面を組み合わせて本実施例につき詳細に説明する。
【００２３】
本実施例では、図２〜図６に示すように、上サイドフレーム２の底部の左右両側には少なくとも１つの第１接続体８がそれぞれ設けられており、左サイドフレーム４と右サイドフレーム５の上部には、第１接続体８に対応する少なくとも１つの第１接続孔９がそれぞれ開設されている。第１接続体８が対応する第１接続孔９にそれぞれ挿接及び固定されることで、左サイドフレーム４と右サイドフレーム５がそれぞれ上サイドフレーム２の左側と右側に挿接及び固定される。上サイドフレーム２の後部底面には少なくとも１つの第２接続体１０が設けられており、後サイドフレーム７の上部には第２接続体１０に対応する少なくとも１つの第２接続孔１１が開設されている。第２接続体１０が第２接続孔１１に挿接及び固定されることで、後サイドフレーム７が上サイドフレーム２の後側に挿接及び固定される。下サイドフレーム３の上部の左右両側には少なくとも１つの第３接続体１２がそれぞれ設けられており、左サイドフレーム４と右サイドフレーム５の底部には、第３接続体１２に対応する少なくとも１つの第３接続孔１３がそれぞれ開設されている。第３接続体１２が第３接続孔１３に挿接及び固定されることで、左サイドフレーム４と右サイドフレーム５がそれぞれ下サイドフレーム３の左側と右側に挿接及び固定される。下サイドフレーム３の後部上面には少なくとも１つの第４接続体１４が設けられており、後サイドフレーム７の底部には第４接続体１４に対応する少なくとも１つの第４接続孔１５が開設されている。第４接続体１４が第４接続孔１５に挿接及び固定されることで、後サイドフレーム７が下サイドフレーム３の後側に挿接及び固定される。右サイドフレーム５の後方内側面には少なくとも１つの第５接続体３１が設けられており、後サイドフレーム７の右側面には第５接続体３１に対応する少なくとも１つの第５接続孔３２が開設されている。左サイドフレーム４の後方内側面には少なくとも１つの第６接続体３３が設けられており、後サイドフレーム７の左側面には第６接続体３３に対応する少なくとも１つの第６接続孔３４が開設されている。第５接続体３１が第５接続孔３２に挿接及び固定され、第６接続体３３が第６接続孔３４に挿接及び固定されることで、左サイドフレーム４と右サイドフレーム５がそれぞれ後サイドフレーム７の左側と右側に挿接及び固定される。以上により、フレーム１の解体可能な接続を実現することで、運搬時や不要となった場合にフレーム１を解体して運搬又は保管できるようにしている。これにより、運搬又は保管時の占有スペースが効果的に縮小されて、運搬コストが大幅に削減される。且つ、フレームを組み立てやすく、操作もしやすくなる。
【００２４】
図２、図５及び図７に示すように、第１接続孔９、第２接続孔１１、第３接続孔１３、第４接続孔１５、第５接続孔３２及び第６接続孔３４内にはそれぞれ接続部材２１が装設されている。接続部材２１の内壁が内側に突出することで凸環２２が設けられており、第１接続体８、第２接続体１０、第３接続体１２、第４接続体１４、第５接続体３１及び第６接続体３３が対応する接続部材２１にそれぞれ挿接されて、接続部材２１の凸環２２に係接する。接続部材２１の凸環２２に係接することで締り嵌めが形成されるため、フレーム１の抜け落ちや分解が効果的に防止され、フレーム１の使用寿命が有効に保証される。
【００２５】
図２に示すように、更に、前サイドフレーム６を含み、前記前サイドフレーム６が左サイドフレーム４又は右サイドフレーム５にヒンジ接続される。上サイドフレーム２、下サイドフレーム３、左サイドフレーム４、右サイドフレーム５、前サイドフレーム６及び後サイドフレーム７はサイドフレーム本体１６と菱形網１７を含み、菱形網１７の全周の辺縁がそれぞれ溶接によってサイドフレーム本体１６の全周に接続及び固定されている。菱形網１７を設置することで、フレーム１内部の風通しと通気性が効果的に保証されるため、フレーム１に保管される物品のカビや変質が防止される。また、木材を使用する必要がないため木材の節約となり、環境が守られるほか、フレーム１自体の重量を効果的に軽減させられる。且つ、溶接によって菱形網１７をサイドフレーム本体１６に接続することで、フレーム１の安定的且つ堅固な接続が保証される。
【００２６】
また、図８〜図１１に示すように、菱形網１７とサイドフレーム本体１６は挿接とプレスにより接続してもよい。この場合、菱形網の全周の辺縁がサイドフレーム本体１６内部の全周に挿接される。サイドフレーム本体１６内部の全周には菱形網１７を挿接するための挿入溝１８が開設されている。菱形網１７の全周の辺縁がサイドフレーム本体１６内部の全周における挿入溝１８内に挿接されるとともに、サイドフレーム本体１６がプレスされることで、接続及び固定がなされる。菱形網１７をサイドフレーム本体１６の内部に挿接することで、製品の見た目が向上し、溶接の必要もなくなる。
【００２７】
本実施例では、図１０及び図１１に示すように、挿入溝１８部分には、サイドフレーム本体１６と一体的に成型されるとともに、サイドフレーム本体１６の内側又は外側に向かって屈曲する屈曲部１９が設けられている。屈曲部１９は菱形網１７の全周の辺縁と接触する。屈曲部１９を設けることで、プレス時におけるサイドフレーム本体１６と菱形網１７との接触面積が効果的に拡大し、プレス時にサイドフレーム本体１６の剪断力で菱形網１７が切断されるとの事態が防止されるため、製品の生産品質が効果的に保証される。
【００２８】
図１１に示すように、挿入溝１８部分には、サイドフレーム本体１６と一体的に成型されるとともに、サイドフレーム本体１６の内側に向かって屈曲する屈曲部１９が設けられている。また、屈曲部１９には複数の突起２０が等間隔で設けられている。大型のフレーム１を生産する際には、菱形網１７がサイドフレーム本体１６に確実に固定されるよう、突起２０を抵抗溶接することで菱形網１７とサイドフレーム本体１６をより堅固に接続し、菱形網１７の抜け落ちを回避すればよい。
【００２９】
図２〜図６に示すように、フレーム１の内部には少なくとも１つの載置プレート２３が設けられている。また、載置プレート２３は左サイドフレーム４と右サイドフレーム５の間に装設される。左サイドフレーム４と右サイドフレーム５の内部前方には少なくとも１つの第１係設突起２４が設けられており、左サイドフレーム４と右サイドフレーム５の内部後側面には、第１係設突起２４と連携するよう同一水平線上に設置される少なくとも１つの第２係設突起２５が設けられている。載置プレート２３の前方の底部左右両端には第１係設突起２４に対応する第１係設凹溝２６がそれぞれ設けられており、載置プレート２３の後方の底部左右両端には第２係設突起２５に対応する第２係設凹溝２７がそれぞれ設けられている。第１係設突起２４が第１係設凹溝２６に組み合わされて係接し、第２係設突起２５が第２係設凹溝２７に組み合わされて係接することで、載置プレート２３が左サイドフレーム４と右サイドフレーム５の間に係接及び固定される。フレーム１の内部には少なくとも１つの載置プレート２３を設けることが可能である。第１係設凹溝２６と第２係設凹溝２７の開口サイズは内部のサイズよりも小さいため、載置プレート２３の接続の堅牢性が強化される。これにより、収納棚の実用性が効果的に向上する。
【００３０】
図１２に示すように、フレーム１の底部の四隅にはフレームのぐらつきを防止するための支持脚２８がそれぞれ装設されている。支持脚２８は固定ネジによってフレーム１の底部に装設される。支持脚２８の上部には固定ネジを挿通可能な第１ネジ孔２９と第２ネジ孔３０が開設されている。固定ネジがそれぞれ対応する第１ネジ孔２９に挿通されて下サイドフレーム３の底部の一角に固定及び締結されるとともに、固定ネジがそれぞれ対応する第２ネジ孔３０に挿通されて左サイドフレーム４又は右サイドフレーム５の底部の前端又は後端に固定及び締結されることで、支持脚２８がフレーム１の底部に固定及び装設される。これにより、収納棚の使用中のぐらつきが効果的に防止されるとともに、左サイドフレーム４、右サイドフレーム５及び下サイドフレーム３の接続の堅牢性が向上する。なお、支持脚２８は固定式の支持脚又はキャスターとする。
【００３１】
好ましくは、サイドフレーム本体１６と菱形網１７の外表面に電気めっき層又は焼付塗装層又はフロック加工層を設けることで、収納棚の使用寿命と見た目を向上させる。
【００３２】
また、前サイドフレーム６は左サイドフレーム４又は右サイドフレーム５にヒンジ接続されるとともに、左サイドフレーム４又は右サイドフレーム５に対して回動可能である。
【実施例２】
【００３３】
図５を参照して、本考案の実施例２は、フレーム１を含む解体及び組立が容易な通気性収納棚を提供する。フレーム１は、上サイドフレーム２、下サイドフレーム３、左サイドフレーム４、右サイドフレーム５及び後サイドフレーム７を含む。左サイドフレーム４は後サイドフレーム７の一方の側に装設され、右サイドフレーム５は後サイドフレーム７の他方の側に装設される。更に、前サイドフレーム６を含み、前記前サイドフレーム６が左サイドフレーム４又は右サイドフレーム５にヒンジ接続される。また、上記実施例１との違いは以下である。上サイドフレーム２は左サイドフレーム４と右サイドフレーム５の内部に装設され、下サイドフレーム３は左サイドフレーム４と右サイドフレーム５の内部に装設される。上サイドフレーム２の左右両側面には少なくとも１つの第１接続体８がそれぞれ設けられており、左サイドフレーム４と右サイドフレーム５の内側面には、第１接続体８に対応する少なくとも１つの第１接続孔９がそれぞれ開設されている。第１接続体８が対応する第１接続孔９にそれぞれ挿接及び固定されることで、左サイドフレーム４と右サイドフレーム５がそれぞれ上サイドフレーム２の左側と右側に挿接及び固定される。下サイドフレーム３の左右両側面には少なくとも１つの第３接続体１２がそれぞれ設けられており、左サイドフレーム４と右サイドフレーム５の内側面には、第３接続体１２に対応する少なくとも１つの第３接続孔１３がそれぞれ開設されている。第３接続体１２が第３接続孔１３に挿接及び固定されることで、左サイドフレーム４と右サイドフレーム５がそれぞれ下サイドフレーム３の左側と右側に挿接及び固定される。このほか、同様の部分については改めて詳述しない。
【００３４】
本実施例では、図８及び図９に示すように、挿入溝１８部分に、サイドフレーム本体１６と一体的に成型されるとともにサイドフレーム本体１６の内側又は外側に向かって屈曲し、且つサイドフレーム本体１６の内壁又は外壁に接触する屈曲部１９が設けられている。屈曲部１９は菱形網１７の全周の辺縁と接触する。屈曲部１９を設けることで、プレス時におけるサイドフレーム本体１６と菱形網１７との接触面積が効果的に拡大し、プレス時にサイドフレーム本体１６の剪断力で菱形網１７が切断されるとの事態が防止されるため、製品の生産品質が効果的に保証される。
【００３５】
好ましくは、屈曲部１９には複数の突起２０が等間隔で設けられている。大型のフレーム１を生産する際には、菱形網１７がサイドフレーム本体１６に確実に固定されるよう、突起２０を抵抗溶接することで菱形網１７とサイドフレーム本体１６をより堅固に接続し、菱形網１７の抜け落ちを回避すればよい。
【００３６】
組み立て時には、第１接続体８、第２接続体１０、第３接続体１２、第４接続体１４、第５接続体３１及び第６接続体３３を、それぞれ対応する第１接続孔９、第２接続孔１１、第３接続孔１３、第４接続孔１５、第５接続孔３２及び第６接続孔３４に挿接することで、上サイドフレーム２、下サイドフレーム３、左サイドフレーム４、右サイドフレーム５及び後サイドフレーム７を固定する。前サイドフレーム６はヒンジにより右サイドフレーム５に接続する。また、載置プレート２３の前方の第１係設凹溝２６と第１係設突起２４を係接し、載置プレート２３の後方の第２係設凹溝２７と第２係設突起２５を係接することで、載置プレート２３を左サイドフレーム４と右サイドフレーム５の間に係接及び固定する。そして、固定ネジを支持脚１８上の対応する第１ネジ孔２９に挿通して下サイドフレーム３の底部右後方の一角に締結及び固定するとともに、固定ネジを支持脚１８上の第２ネジ孔３０に挿通して右サイドフレーム５の底部後方の一角に締結及び固定する。これにより、支持脚１８を下サイドフレーム３の四隅に固定及び装設するとともに、右サイドフレーム５と左サイドフレーム４の底部の前後両端に固定及び装設して組み立てを完了する。
【００３７】
上記２つの実施例では、前サイドフレーム６に片開き扉構造を採用しているが、図１３に示すように、前記前サイドフレーム６は両開き扉構造を採用してもよい。
【００３８】
図１４に示すように、本考案で記載する解体及び組立が容易な通気性収納棚は、前サイドフレーム６を備えない構造に設計してもよい。即ち、扉のない開放型の解体及び組立が容易な通気性収納棚としてもよい。
【００３９】
以上述べたように、本考案は構造が簡単で組み立てやすい。フレーム１の解体可能な接続を実現することで、運搬時や不要となった場合にフレーム１を解体して運搬又は保管できるようにしている。これにより、運搬又は保管時の占有スペースが効果的に縮小されるとともに軽量化され、運搬コストが大幅に削減される。且つ、フレームを組み立てやすく、操作もしやすくなる。
【００４０】
上記の実施例は本考案の好ましい実施形態であるが、本考案の実施形態は上記の実施例に限定されるわけではない。本考案の本質及び原理を逸脱することなく、原理の元に実施されるその他の変形、補足、置き換え、組み合わせ、簡略化はいずれも等価の置き換えとみなすべきであり、本考案の保護の範囲に含まれる。
【図１】
0003220484.tif 000003
【図２】
0003220484.tif 000004
【図３】
0003220484.tif 000005
【図４】
0003220484.tif 000006
【図５】
0003220484.tif 000007
【図６】
0003220484.tif 000008
【図７】
0003220484.tif 000009
【図８】
0003220484.tif 000010
【図９】
0003220484.tif 000011
【図１０】
0003220484.tif 000012
【図１１】
0003220484.tif 000013
【図１２】
0003220484.tif 000014
【図１３】
0003220484.tif 000015
【図１４】
0003220484.tif 000016